(57)【特許請求の範囲】
【請求項１】
タンクの上面にはフィルタが着脱可能に張設されるとともに、このタンクの底面に形成された排水口の回りには、下部側に通孔の開口されたガイド管が立ち上がって設けられ、このガイド管の内側に、ガイド管の上端以下の位置にオーバフロー口を設けたオーバフロー管がクリアランスを持って挿通されて、その下端が前記排水口に水密に嵌着され、前記タンク内の水位を前記オーバフロー口の位置に保つようにしたものにおいて、
前記オーバフロー管には、前記ガイド管の上端よりも上方に突出した部分が設けられ、この突出部に、摘み部を有するハンドルが水平軸回りの回動可能に支持されているとともに、
前記ハンドルは、前記摘み部とは前記軸支部分を挟んだ反対側に重りを設けることで、前記摘み部が前記タンク内の水位よりも高い位置に来る姿勢に回動付勢され、
かつ前記重りは、別部材として前記ハンドルに対して回動可能に支持されて、前記オーバフロー管の内側または前記ガイド管との間のクリアランスにおいて昇降可能となっていることを特徴とする洗浄槽等の排水部構造。
【請求項２】
タンクの上面にはフィルタが着脱可能に張設されるとともに、このタンクの底面に形成された排水口の回りには、下部側に通孔の開口されたガイド管が立ち上がって設けられ、このガイド管の内側に、ガイド管の上端以下の位置にオーバフロー口を設けたオーバフロー管がクリアランスを持って挿通されて、その下端が前記排水口に水密に嵌着され、前記タンク内の水位を前記オーバフロー口の位置に保つようにしたものにおいて、
前記オーバフロー管には、前記ガイド管の上端よりも上方に突出した部分が設けられ、この突出部に、摘み部を有するハンドルが水平軸回りの回動可能に支持され、かつ前記ハンドルは弾性的に捻られた状態で支持可能とされ、その復元弾力により摘み部が前記タンク内の水位よりも高い位置に来る姿勢を取るように回動付勢されていることを特徴とする洗浄槽等の排水部構造。
【請求項３】
前記オーバフロー管には、前記ガイド管との間のクリアランスの上方を覆うようにして天板が設けられ、この天板に前記ハンドルが軸支されていることを特徴とする請求項１または請求項２記載の洗浄槽等の排水部構造。
【請求項４】
前記天板には下向きの周壁が形成され、この周壁に前記ハンドルの軸支部が設けられていることを特徴とする請求項３記載の洗浄槽等の排水部構造。
【発明の詳細な説明】
【０００１】
【発明の属する技術分野】
本発明は、食器洗浄機の洗浄槽等の排水構造に関する。
【０００２】
【従来の技術】
食器洗浄機では、図２２（ａ）に示すように、洗浄タンク１内に貯留された洗浄水をポンプ１Ａで汲み上げて、洗浄ノズル２から食器に向けて噴出することで洗浄を行い、洗浄が終了すると、別の貯湯タンクに貯留されたすすぎ水をすずノズル３から噴出してすすぎを行うようになっており、使用済みのすすぎ水は洗浄タンク１に回収され、オーバフロー管４を利用して一定の水位で貯留されて再度洗浄水として使用されるようになっている。
従来の洗浄タンク１の構造の一例を示すと、同図（ｂ）のようになっている。洗浄タンク１の底面には、洗浄ポンプ１Ａに繋がる供給口５と、排水口６とが開口されているが、これらに洗い流した残滓が入らないように、タンク１の上面にはタンクフィルタ７が着脱可能に張られていることに加えて、タンク１内の底部側には、ポンプフィルタ８が張られている。このポンプフィルタ８における排水口６の直上には、排水口６よりも一回り大きいガイド口が開口され、その口縁からガイド管８Ａが立ち上がって形成されている。このガイド管８Ａの内側に、オーバフロー管４がガイド管８Ａとの間にクリアランスを開けて挿入されて、その下端が排水口６に水密に嵌着され、二重管構造とされる。このときオーバフロー管４の上端のオーバフロー口が、ガイド管８Ａの上端よりやや下方に位置するように設定される。
【０００３】
そして、すすぎに供されたあとのすすぎ水が洗浄タンク１内に回収されると、タンクフィルタ７並びにポンプフィルタ８で漉されたのちポンプフィルタ８の下面に流入し、余剰の水は、ガイド管８Ａの内側を上昇したのち、オーバフロー口からオーバフロー管４に入って外部へ排水される。このようにオーバフロー排水する部分を二重管構造としたのは、２枚のフィルタ７，８で漉されて残滓等の混入していない排水を行うことと、タンク１の底部側の比較的低温の水から排水して、上部側の比較的高温の水を洗浄水として残せるようにするためである。
【０００４】
【発明が解決しようとする課題】
ところで、洗浄タンク１内の洗浄水を全部排水する場合には、オーバフロー管４を排水口６から引き抜く必要がある。具体的には、タンクフィルタ７を外したのち、オーバフロー管４の上端部に設けた取っ手９を掴んで引き上げるのであるが、製品設計上の制約等により、タンクフィルタ７は、タンク１の貯留水位Ｗの直ぐ上の位置に張設しなければならない場合が多く、言い換えると、オーバフロー管４とタンクフィルタ７との間に十分なスペースが確保できないために、取っ手９を設けるにしても、タンク１の貯留水位Ｗの少し上方に突出した位置にしか設けることができない。
そのため取っ手９を掴んだ場合に、約６０℃と高温で、強アルカリ性の洗浄水に手が触れてしまうという問題があり、さらなる改良が切望されていた。
本発明は上記のような事情に基づいて完成されたものであって、その目的は、タンク内の水に手を触れることなく簡単にオーバフロー管を着脱できるようにするところにある。
【０００５】
【課題を解決するための手段】
請求項１の発明に係る洗浄槽等の排水部構造は、タンクの上面にはフィルタが着脱可能に張設されるとともに、このタンクの底面に形成された排水口の回りには、下部側に通孔の開口されたガイド管が立ち上がって設けられ、このガイド管の内側に、ガイド管の上端以下の位置にオーバフロー口を設けたオーバフロー管がクリアランスを持って挿通されて、その下端が前記排水口に水密に嵌着され、前記タンク内の水位を前記オーバフロー口の位置に保つようにしたものにおいて、前記オーバフロー管には、前記ガイド管の上端よりも上方に突出した部分が設けられ、この突出部に、摘み部を有するハンドルが水平軸回りの回動可能に支持されているとともに、前記ハンドルは、前記摘み部とは前記軸支部分を挟んだ反対側に重りを設けることで、前記摘み部が前記タンク内の水位よりも高い位置に来る姿勢に回動付勢され、かつ前記重りは、別部材として前記ハンドルに対して回動可能に支持されて、前記オーバフロー管の内側または前記ガイド管との間のクリアランスにおいて昇降可能となっているところに特徴を有する。
【０００６】
請求項２の発明は、タンクの上面にはフィルタが着脱可能に張設されるとともに、このタンクの底面に形成された排水口の回りには、下部側に通孔の開口されたガイド管が立ち上がって設けられ、このガイド管の内側に、ガイド管の上端以下の位置にオーバフロー口を設けたオーバフロー管がクリアランスを持って挿通されて、その下端が前記排水口に水密に嵌着され、前記タンク内の水位を前記オーバフロー口の位置に保つようにしたものにおいて、前記オーバフロー管には、前記ガイド管の上端よりも上方に突出した部分が設けられ、この突出部に、摘み部を有するハンドルが水平軸回りの回動可能に支持され、かつ前記ハンドルは弾性的に捻られた状態で支持可能とされ、その復元弾力により摘み部が前記タンク内の水位よりも高い位置に来る姿勢を取るように回動付勢されているところに特徴を有する。
請求項３の発明は、請求項１または請求項２に記載のものにおいて、前記オーバフロー管には、前記ガイド管との間のクリアランスの上方を覆うようにして天板が設けられ、この天板に前記ハンドルが軸支されているところに特徴を有する。
請求項４の発明は、請求項３に記載のものにおいて、前記天板には下向きの周壁が形成され、この周壁に前記ハンドルの軸支部が設けられているところに特徴を有する。
【００１０】
【発明の作用及び効果】
＜請求項１の発明＞
ハンドルは回動可能に支持されているから、常にはハンドルを付勢力に抗して倒伏させるように押さえつつ、フィルタをオーバフロー管に近付けた位置に張ることができる。タンク内の排水を行う場合は、フィルタを外すことで、ハンドルの押さえが外されると、重りがオーバフロー管内またはガイド管との間のクリアランス内を下降しつつ、ハンドルが起立姿勢に回動し、摘み部がタンク内の水位よりも高い位置に持ち来される。摘み部を摘んで引き上げることでオーバフロー管が排水口から引き抜かれ、排水が行える。
ハンドルの摘み部がタンク内の水位よりも高い位置に持ち来されるから、タンク内の水等に手を触れることなくオーバフロー管の引き抜き作業を行うことができる。オーバフロー管にガイド管の上端よりも突出した部分を設けて、ここにハンドルを支持する構造としたから、オーバフロー管の回りにガイド管を配した二重管構造を採用した場合にも、ガイド管と干渉することなくハンドルの装着が可能となる。特に、ハンドルを回動付勢する重りを、オーバフロー管内、またはガイド管との間のクリアランス内に納めて昇降させる構造としたから、ガイド管回りの省スペース化を図ることができる。
【００１１】
＜請求項２の発明＞
ハンドルがフィルタで押さえられると、ハンドルが捻られて弾性付勢力を蓄勢した状態で保持される。ハンドルの押さえが外されると、蓄勢された弾性付勢力によってハンドルが起立姿勢に復元変形し、摘み部がタンク内の水位よりも高い位置に持ち来される。
同じくタンク内の水等に手を触れることなくオーバフロー管の引き抜きを行うことができる。特に、ハンドル自身の持つ弾性力をその回動付勢力に利用したから、格別の付勢部材が不要であって、ハンドルの構造をきわめてシンプルなものにできる。
＜請求項３の発明＞
天板を設けることで、タンク側に流入した水がオーバフロー管とガイド管との間のクリアランスに直接上方から入り込むことが防止される。このような機能を持った既存の天板にハンドルを支持することで、構造が簡単にまとまる。
＜請求項４の発明＞
天板の周壁に軸支部を設けたことで、例えば天板の上面は、凹凸の無いフラットな面に留めることができる。
【００１７】
【発明の実施の形態】
以下、本発明の実施形態を添付図面に基づいて説明する。
＜第１参考例＞
第１参考例を図１ないし図７によって説明する。まず図１によって、食器洗浄機の全体構造を説明すると、本体１０内の上部側には、図示しないラックを介して食器が出し入れ可能に収納される洗浄室１１が形成され、この洗浄室１１の天井側と底部側に、洗浄ノズル１２とすすぎノズル１３とが一対ずつ配設されている。洗浄室１１の底面の一側には、洗剤の混入された洗浄水を貯留する洗浄タンク１５が形成され、この洗浄タンク１５は、詳しくは後記するオーバフロー排水機構２０により一定水位Ｗに貯留されるようになっているとともに、洗浄ポンプ１６を介して上記の洗浄ノズル１２と接続されている。
【００１８】
洗浄タンク１５の下方には、すすぎ水（温水）を貯留する貯湯タンク１７が装備されており、フロートスイッチ（図示せず）のオン・オフ動作に基づいてウォータバルブ１８の開閉が制御され、貯湯タンク１７内が設定水位に保持されるようになっており、すすぎポンプ１９を介してすすぎノズル１３と接続されている。洗浄タンク１５と貯湯タンク１７内には、それぞれ図示しないヒータとサーモスタットが装備されていて、洗浄水は約６０℃に、すすぎ水は約８０℃に保温されるようになっている。
【００１９】
通常の洗浄サイクルでは、食器を洗浄室１１に収納したのち洗浄スイッチを操作すると、洗浄タンク１５の洗浄水が洗浄ポンプ１６により汲み上げられ、洗浄ノズル１２から噴射されて食器が洗浄され、次に貯湯タンク１７のすすぎ水がすすぎポンプ１９により汲み上げられ、すすぎノズル１３から噴射されてすすぎが行われる。使用済みのすすぎ水は洗浄タンク１５に回収され、オーバフロー排水機構２０により一定の水位Ｗで貯留されて、再度洗浄水として使用されるようになっている。
【００２０】
次に、オーバフロー排水機構２０の構造について詳細に説明する。
洗浄タンク１５は、下部側の断面積を絞った段付き状に形成されており、その底面の一側に寄った位置には、上記した洗浄ポンプ１６に接続された供給口２２が開口されているとともに、中心には排水口２３が開口されている。
この排水口２３は、図２に詳細に示すように、洗浄タンク１５の底面に開口された取付孔２７内にホルダ２６を介して嵌着されたゴムブッシュ２８の中心孔によって形成されている。
【００２１】
洗浄タンク１５の上面には、タンクフィルタ２４が着脱可能に張設されている。このタンクフィルタ２４は、パンチングメタル等の多数の孔２４Ａが開口された板状をなし、洗浄タンク１５の貯留水位Ｗよりも所定寸法上方位置に張られるとともに、中心には上方に膨出した円形の膨出部２４Ｂが形成されている。一方、洗浄タンク１５内の段付部分には、同じく多数の孔２５Ａが開口されたパンチングメタル等からなるポンプフィルタ２５が張設されている。
ポンプフィルタ２５における排水口２３の直上位置には、排水口２３よりも大きい直径のガイド口３０が開口されており、このガイド口３０の口縁から、ガイド管３１が立ち上がって設けられている。ガイド管３１の上端は、貯留水位Ｗより少し上に突出する設定となっている。
【００２２】
ガイド管３１の内側には、オーバフロー管３３が装着されるようになっている。オーバフロー管３３は例えばステンレス鋼管製であって、図３及び図４にも示すように、ガイド管３１よりも所定寸法小さい直径の縦長形状に形成されている。オーバフロー管３３の上端は開口されてオーバフロー口３４となっており、上端から所定寸法下がった位置の内周面には、位置決め突条３５が周設されている。一方、下端側の所定高さ部分は絞り成形されており、下面の中心には若干縮径された排出口３７が開口されている。
【００２３】
オーバフロー管３３の上端側には、天板３８が装着されるようになっている。この天板３８はステンレス鋼板製であって、ガイド管３１よりも少し大きい直径の円盤状をなし、中心孔３９を有するとともに、周縁に下向きの周壁４０が形成されている。中心孔３９の回りには、４個の取付孔４１が９０度の角度間隔を開けて形成されている一方、４本の丸棒４３が備えられていて、各丸棒４３の上端の縮径部が取付孔４１に圧入されて溶接されることで、中心孔３９の裏側の口縁から、４本の丸棒４３が９０度の角度間隔を開けて垂下状に突設されている。この丸棒４３が、オーバフロー管３３の上端側から位置決め突条３５付近まで圧入されて溶接されることにより、天板３８がオーバフロー管３３の上端より所定寸法上方の位置で張られた状態となる。
【００２４】
オーバフロー管３３はガイド管３１内に上方から挿入され、図２に示すように、その下端の絞り部３６が排水口２３に圧入されることで、ガイド管３１との間に所定のクリアランスＣを持って同心に立てられ、このときオーバフロー管３３のオーバフロー口３４は、ガイド管３１の上端より少し下方に位置し、このオーバフロー口３４の位置によって貯留水位Ｗが設定される。また天板３８は、ガイド管３１の上端よりもさらに上方に位置して、ガイド管３１とオーバフロー管３３との間のクリアランスＣの上方を覆った状態となる。
【００２５】
さて、オーバフロー管３３の天板３８には、オーバフロー管３３を排水口２３から引き抜くことに使用するハンドル５０が装着されている。このハンドル５０は以下のように形成されている。まず、所定長さのステンレス鋼線５１が、図５に示すように、略長方形の環状に形成される。ここで、長辺側の２辺の間隔が、天板３８の直径にほぼ等しい寸法に設定されている。また、一方の短辺は、半円形状に回曲されて摘み部５２を形成するようになっており、他方の短辺は直線状で、回動軸５３を構成するようになっている。
【００２６】
この環状体が、長さ方向の中心から回動軸５３側に寄った位置に設定された折曲位置Ｘから、図６に示すように折り重ねられ、重なった部分が溶接されて固定される。これにより図３に示すように、全体としては、ほぼ伏コ字形をなし、かつ対向する両辺の間に回動軸５３がわたされたハンドル５０が形成される。より詳細には、回動軸５３を挟んだ一側は、半円形をなして閉じた摘み部５２が設けられ、他側は、ステンレス鋼線５１が折り重ねられることで２本の重り部５４が形成され、両重り部５４は互いに平行に延出して開いた形態を取っている。
【００２７】
一方、天板３８の周壁４０には、一対の軸支部４５が線対称に形成されている。この軸支部４５は、図２及び図３に示すように、一側に開口したフック状をなすように下方に張り出し形成され、開口縁から少し上ったのち水平方向に切り込まれたような溝４６が形成されて、この溝４６の奥が軸受部４７となっている。両軸受部４７が、１８０度の角度間隔を開けて設けられている。
ハンドル５０は、上記した丸棒４３を天板３８に装着する前に、図３に示すように、摘み部５２を上に向けた姿勢にして、回動軸５３の両端を軸支部４５の溝４６に挿入し、奥の軸受部４７まで押し込む。続いて、４本の丸棒４３を上記した要領で取付孔４１に挿入して固着すると、そのうちの２本の丸棒４３が、回動軸５３の両端部を互いに反対側から挟み、これによりハンドル５０は、回動軸５３の両端を軸受部４７に嵌めた状態で回動可能に支持される。
【００２８】
上記のように天板３８に装着されたハンドル５０は、自然状態では、重り部５４を下側にしてほぼ起立姿勢を取って支持されることになる（図７参照）。
一方、オーバフロー管３３がガイド管３１内において排水口２３に正規に立てられ、タンクフィルタ２４が装着された状態では、図２に示すように、膨出部２４Ｂの天井面で摘み部５２が押されつつ、ハンドル５０は、摘み部５２が貯留水位Ｗより少し上に突出しただけの水平姿勢に近い傾倒姿勢を取って、膨出部２４Ｂ内に天板３８ともども収容された状態となる。
【００２９】
続いて、第１参考例の作用を説明する。
稼働中において、すすぎに供されたあとのすすぎ水が洗浄タンク１５内に回収されると、図２の矢線に示すように、タンクフィルタ２４並びにポンプフィルタ２５で漉されたのちポンプフィルタ２５の下面に流入し、余剰の水は、ガイド管３１の内側のクリアランスＣを上昇したのち、オーバフロー口３４からオーバフロー管３３に入り、排出口３７から排水ホース４８を通って外部へ排水され、洗浄タンク１５が貯留水位Ｗに保持されて再度洗浄水として使用される。
オーバフロー排水する部分が、オーバフロー管３３とガイド管３１との二重管構造とされているから、２枚のフィルタ２４，２５で漉された後の残滓等の混入の少ない状態で排水を行うことができ、また、洗浄タンク１５の底部側の比較的低温の水から排水して、上部側の比較的高温の水を洗浄水として残すことができる。
【００３０】
洗浄タンク１５内の洗浄水を排水する場合は、以下のようにして行う。まず、図２の状態から、洗浄タンク１５の上面に張られたタンクフィルタ２４を取り外す。そうすると、ハンドル５０の摘み部５２を押さえていた力が除去されるから、重り部５４の重量を受け、ハンドル５０は回動軸５３を中心として、同図の反時計回り方向に回動し、図７に示すように、ハンドル５０は摘み部５２を上方に突出させたほぼ起立した姿勢に持ち来される。そうしたら、ハンドル５０の摘み部５２を指で摘んで引き上げると、同図の鎖線に示すように、オーバフロー管３３が引き上げられて排水口２３が開放され、全洗浄水がその排水口２３から排水ホース４８を通って外部にスムーズに排水される。
【００３１】
以上のように第１参考例では、タンクフィルタ２４を外すことに伴い、重り部５４の重量を受けて、ハンドル５０の摘み部５２が洗浄タンク１５内の貯留水位Ｗよりも高い位置に持ち来されるから、高温かつ強アルカリ性の洗浄水に手を触れることなく、オーバフロー管３３の引き抜き作業を簡単に行うことができる。特に、ガイド管３１の上端よりも突出した位置の天板３８にハンドル５０を支持するようにしたから、オーバフロー管３３の回りにガイド管３１を配した二重管構造を採用した場合にも、ガイド管３１と干渉することなくハンドル５０の装着が可能となる。
【００３２】
また、ハンドル５０を支持するについて、天板３８の周壁４０に設けた軸受部４７に支持するようにしたから、天板３８の上面は、凹凸の無いフラットな面に留めることができる。
ハンドル５０を構成するステンレス鋼線５１により、回動軸５３と重り部５４とが一体形成され、しかも重り部５４はステンレス鋼線５１を曲げることで形成されているから、ハンドル５０自体の構造が簡単となって安価に製造できるとともに、掃除等もしやすくなる。
重り部５４を設けた側が開放された形状であるから、それだけ省スペースに寄与できるとともに、ガイド管３１と干渉することなく、ハンドル５０を時計方向と反時計方向の両方に回動させることができて、天板３８や支持部分を掃除する場合等に便利となる。
【００３３】
＜第１参考例に係るハンドルの変形例＞
ハンドルの変形例として、以下のようなものを採用してもよい。
図８の第１変形例に係るハンドル５０Ａは、ステンレス鋼線５１を回曲して半円形の摘み部５２が形成され、互いに平行に延出された両端が折り重ねられて重り部５４が形成されているとともに、直角曲げした取付部５５を両端に設けた回動軸５３Ａを別体として備え、両取付部５５を重り部５４の基端側にわたして溶接により固着した構造である。
その他の構造は、上記第１参考例と同様である。
【００３４】
図９の第２変形例に係るハンドル５０Ｂは、上記の第１変形例のハンドル５０Ａに対して、回動軸５３Ｂがさらに２個に分割されており、両回動軸５３Ｂの対向した突出端同士が離間している。
図１０の第３変形例に係るハンドル５０Ｃは、重り部５４が一端側だけに形成されて、その付け根部分に別体の回動軸５３Ｃが固定されているとともに、他端側が直角曲げされて、上記の回動軸５３Ｃと同軸上で対向した回動軸５３Ｃが形成されている。
【００３５】
＜第１参考例に係るハンドルの支持構造の変形例＞
また、天板におけるハンドルの支持構造、特に上記の第２または第３変形例のハンドル５０Ｂ，５０Ｃの支持構造として、以下のようなものを採用してもよい。
図１１に示す第１変形例に係る支持構造では、天板３８Ａの上面における中心孔３９を挟んだ両側から、軸受板５６が、下面側に向けて互いに平行をなすように直角に切り起こされ、両軸受板５６に軸受孔５７が形成されている。分割された回動軸５３Ｂまたは５３Ｃの先端が軸受孔５７に嵌入されることで、ハンドル５０Ｂまたは５０Ｃが回動可能に支持される。
【００３６】
図１２に示す第２変形例に係る支持構造では、天板３８Ｂの上面における中心孔３９を挟んだ両側から、山形をなす軸受部５８が、下面側に向けて叩き出されて形成されている。同様に、分割された回動軸５３Ｂまたは５３Ｃの先端が軸受部５８の内側に嵌入されることで、ハンドル５０Ｂまたは５０Ｃが回動可能に支持される。
第１及び第２変形例ともに、別部材を設けることなくハンドルの回動軸を支持する部分を形成でき、また天板３８Ａまたは３８Ｂの上面には、少なくとも突出する部分を設ける必要がない。
【００３７】
＜第２参考例＞
第２参考例を図１３及び図１４によって説明する。
第２参考例では、ポンプフィルタ６０にボックス形のものが採用されている。ポンプフィルタ６０は詳細には、下面開放の箱形をなし、４枚の側板が、多数の通孔６１Ａが開口されたパンチングメタル６１により形成されており、洗浄タンク１５の底面に設けられた排水口２３と、洗浄ポンプ１６（図１参照）に繋がる供給口２２とを覆うように設置されている。ポンプフィルタ６０の蓋板６２における排水口２３の直上位置に開口された取付孔６３には、ガイド管３１が貫通して固着され、そのガイド管３１の内部に、上記第１実施形態と同様のオーバフロー管３３が挿入され、下端の絞り部３６が排水口２３の栓をして立てられている。
【００３８】
したがって稼働時には、すすぎに供されたあとのすすぎ水が洗浄タンク１５内に回収されると、洗浄タンク１５の上面に張られたタンクフィルタ２４（図１４の鎖線参照）で漉されたのち、さらにポンプフィルタ６０の内側に入りつつ漉され、余剰の水は、ガイド管３１の内側のクリアランスＣを上昇したのち、オーバフロー口３４からオーバフロー管３３に入り、排出口３７から外部へ排水され、洗浄タンク１５が貯留水位Ｗに保持されて再度洗浄水として使用されるようになっている。
【００３９】
オーバフロー管３３の天板３８には、同様にハンドル６５が装着されている。このハンドル６５の基本的な構造並びに支持構造は、第１参考例に示したものと同様であるが、図１４に示すように、重り部５４Ａが、ステンレス鋼線５１が折り重ねられたのち、さらにく字形に屈曲されて形成されている。そして、重り部５４Ａの重量により、ハンドル６５が起立方向に回動した場合、摘み部５２側がほぼ４５度の傾斜姿勢を取ったところで、重り部５４Ａの屈曲部６６がポンプフィルタ６０の蓋板６２に当接する設定となっている。
【００４０】
この第２参考例では、洗浄タンク１５の上面にタンクフィルタ２４が装着されると（図１４の鎖線参照）、摘み部５２が押されつつ、ハンドル６５は同図の鎖線に示すように、水平姿勢に近い傾倒姿勢を取って、タンクフィルタ２４の下面に収容される。
洗浄タンク１５の排水を行うべくタンクフィルタ２４を外すと、重り部５４Ａの重量を受けて、ハンドル６５は回動軸５３を中心として、同図の時計回り方向に回動し、同図の実線に示すように、重り部５４Ａの屈曲部６６がポンプフィルタ６０の蓋板６２に当たったところで回動が停止する。続いて、摘み部５２に指を掛けてハンドル６５を起こす方向に回動すると、屈曲部６６を支点とし、回動軸５３の軸支部分を作用点とするてこ作用を呈し、オーバフロー管３３が引き上げられる。これにより排水口２３が開放されて、全洗浄水が排水口２３からスムーズに外部に排水される。
この第２参考例では、上記の第１参考例と同様に、ハンドル６５の摘み部５２が洗浄タンク１５内の貯留水位Ｗよりも高い位置に持ち来されるから、洗浄水に手を触れることなくオーバフロー管３３の引き抜きを行うことができる。しかも、てこ作用を利用して引き抜くようにしたから、比較的小さな力でオーバフロー管３３を引き抜くことができ、排水作業が簡単となる。
【００４１】
＜第１実施形態＞
本発明の第１実施形態を図１５ないし図１７に基づいて説明する。この第１実施形態では、参考例と比較して、ハンドル、特に重りの配設構造に変更が加えられている。
ハンドル７０は、ステンレス鋼線を曲げ加工して形成され、図１７に示すように、半円形の摘み部７２の両端に、回動軸７３が互いに突き合うように形成され、それぞれの突き合わせ端にさらにクランク部７４が形成されている。一方、円柱状の重り７５が別部材として備えられ、その上端部に形成された支持孔７６に、両クランク部７４の先端が両側から嵌入されることで、重り７５が両回動軸７３の突き合わせ部分において、相対的な回動可能に支持されている。
このようなハンドル７０が、図１６に示すように、両回動軸７３の基端側を、天板３８の軸受孔４７に嵌入して回動可能に支持され、重り７５はオーバフロー管３３内に挿入される。
【００４２】
この第１実施形態は、図１５に示すように、タンクフィルタ２４が装着された状態では、タンクフィルタ２４で摘み部７２が押され、重り７５が持ち上げられつつ、ハンドル７０は水平姿勢に近い傾倒姿勢を取って、タンクフィルタ２４の下面に収容される。洗浄タンク１５内の排水をするに際して、タンクフィルタ２４を取り外すと、図１６に示すように、重り７５がオーバフロー管３３内を下降しつつ、ハンドル７０は回動軸７３を中心として起立姿勢に回動する。そうしたら、摘み部７２を摘んで引き上げると、オーバフロー管３３が引き上げられて排水口２３が開口され、洗浄水が排水される。
同様に、ハンドル７０の摘み部７２が洗浄タンク１５内の貯留水位Ｗよりも高い位置に持ち来されるから、洗浄水に手を触れることなくオーバフロー管３３の引き抜きを行うことができる。特に、ハンドル７０を起立方向に回動付勢する重り７５を、オーバフロー管３３の内側で昇降させる構造としたから、ガイド管３１の回りの省スペース化を図ることができる。
【００４３】
＜第１実施形態に係る変形例＞
図１８は重りの変形例を示し、この重り７７は、厚肉の細長い板材を長さ方向の中央部で折り返して端部側を重ね、折り返し部分に両回転軸７３のクランク部７４が挿入可能な支持孔７８が形成された構造である。
その他の構造並びに作用は、第１実施形態と同様である。重り７７自体の成形が簡単にできる。
なお、上記第１実施形態の重り７５、変形例の重り７７はともに、オーバフロー管３３とガイド管３１との間のクリアランスＣ内に納めて昇降させるようにしてもよい。
【００４４】
＜第２実施形態＞
図１９は、本発明の第２実施形態を示す。この第２実施形態では、ハンドルの回動付勢手段に変更が加えられている。
第２実施形態のハンドル８０は、ばね鋼線を曲げ加工することで、ほぼ半円形をなす摘み部８２の両端に、互いに平行なアーム部８１が形成され、両アーム部８１の先端が直角曲げされることで、互いに突き合う回動軸８３が形成されている。ただし、図１９（ｂ）に示すように、アーム部８１の突出長さが異なっていて、両回動軸８３が寸法Ｌだけオフセットした状態に形成されている。
一方、天板８５の周壁８６には、軸受孔８８が開口された軸受板８７が１８０度間隔を開けて形成されているが、両軸受孔８８は、上記した回動軸８３のオフセット寸法Ｌだけ高さ位置を異にして形成されている。
ハンドル８０は、摘み部８２が上を向いた起立姿勢を取って、両回動軸８３が対応する軸受孔８８に嵌合され、溶接等により固定されている。
【００４５】
この第２実施形態では、タンクフィルタ２４（図１５参照）が装着されると、摘み部８２が押されることで、ハンドル８０が図１９（ａ）の鎖線に示すように倒伏され、これに伴い、同図（ｂ）の右側に示すように、ハンドル８０がほぼ全長にわたって弾性的に捻られた状態となって、倒伏姿勢に保持される。
洗浄タンク１５内の排水をするに際して、タンクフィルタ２４を取り外すと、ハンドル８０に蓄勢された捻りの復元弾力を受けて、ハンドル８０は図１９（ａ）における鎖線状態から、実線に示す起立姿勢に復元変形し、ハンドル８０の摘み部８２が洗浄タンク１５内の貯留水位Ｗよりも高い位置に持ち来される。そうしたら、摘み部８２を摘んで引き上げると、オーバフロー管３３が引き上げられて排水口２３が開口され、洗浄水が排水される。
同様に、洗浄水に手を触れることなくオーバフロー管３３の引き抜きを行うことができる。特に、ハンドル８０自身の持つ弾性力を、ハンドル８０の回動付勢力に利用したから、格別の付勢部材が不要であって、構造はきわめてシンプルなものになる。
【００４６】
＜第３参考例＞
図２０及び図２１によって、第３参考例を説明する。
この第３参考例のハンドル９０は、直線状の摘み部９２の両端に、摺動部９３を下向きに直角曲げして設けた門形に形成されている。一方、天板９５における中心孔を挟んだ両側には、一対の挿通孔９６が開口されており、ハンドル９０の両摺動部９３が挿通孔９６に挿通されて、昇降可能に支持されるようになっている。
両摺動部９３の下端には、フロート９７がそれぞれ取り付けられ、各フロート９７は、オーバフロー管３３とガイド管３１との間のクリアランスＣ内に、昇降可能に収納されている。
その他の構造は、前記第１参考例と同様であって、同一機能を有する部位については同一符号を付すことで、重複した説明は省略する。
【００４７】
この第３参考例では、タンクフィルタ２４が装着されると、図２０に示すように、摘み部９２が押されることで、フロート９７をクリアランスＣ内において洗浄水中に沈めつつ、ハンドル９０が押し下げられた状態に保持される。
洗浄タンク１５内の排水をするに際して、タンクフィルタ２４を取り外すと、図２１に示すように、フロート９７が浮力を受けて浮き上がり、それに伴いハンドル９０が上昇して、摘み部９２が洗浄タンク１５内の貯留水位Ｗよりも高い位置に持ち来される。そうしたら、摘み部９２を摘んで引き上げると、フロート９７が挿通孔９６の裏側の口縁に係止することで天板９５が持ち上げられ、それに伴いオーバフロー管３３が引き上げられて排水口２３が開口され、洗浄水が排水される。
【００４８】
同じく、洗浄水に手を触れることなくオーバフロー管３３の引き抜きを行うことができる。ハンドル９０を上昇付勢するフロート９７を、ガイド管３１の内側のクリアランスＣ内に昇降可能に納めたから、ガイド管３１の回りの省スペース化を図ることができる。
＜他の実施形態＞
本発明は上記記述及び図面によって説明した実施形態に限定されるものではなく、その要旨を逸脱しない範囲内で種々変更して実施することができる。
【図面の簡単な説明】
【図１】  第１参考例の食器洗浄機の内部構造を示す概略断面図
【図２】  オーバフロー排水機構部分の断面図
【図３】  オーバフロー管とハンドルの斜視図
【図４】  ハンドル付きオーバフロー管の一部切欠正面図
【図５】  ハンドルの母材の正面図
【図６】  ハンドルの製造工程を示す斜視図
【図７】  タンクフィルタが外された状態の断面図
【図８】  第１変形例のハンドルの斜視図
【図９】  第２変形例のハンドルの斜視図
【図１０】  第３変形例のハンドルの斜視図
【図１１】  ハンドルの支持構造の第１変形例を示し、（ａ）は天板の平面図、（ｂ）はその側面図
【図１２】  ハンドルの支持構造の第２変形例を示し、（ａ）は天板の平面図、（ｂ）はその側面図
【図１３】  第２参考例のオーバフロー排水機構部分の断面図
【図１４】  そのオーバフロー管の引き上げ動作を説明する断面図
【図１５】  本発明の第１実施形態に係るオーバフロー排水機構部分の断面図
【図１６】  そのタンクフィルタが外された状態の断面図
【図１７】  そのハンドルの斜視図
【図１８】  変形例のハンドルの斜視図
【図１９】  第２実施形態を示し、（ａ）はハンドルの回動復帰動作を説明する斜視図、（ｂ）は付勢力の蓄勢の原理を示す斜視図
【図２０】  第３変形例のオーバフロー排水機構部分の断面図
【図２１】  そのタンクフィルタが外された状態の断面図
【図２２】  従来例を示し、（ａ）は食器洗浄機の内部構造を示す概略断面図、（ｂ）はオーバフロー排水機構部分の断面図
【符号の説明】
１５…洗浄タンク  Ｗ…（洗浄タンク１５の）貯留水位  ２３…排水口  ２４…タンクフィルタ（フィルタ）  ３１…ガイド管  ３３…オーバフロー管  Ｃ…クリアランス  ３４…オーバフロー口  ３６…絞り部  ３８，３８Ａ，３８Ｂ…天板  ４０…周壁  ４７…軸受部  ５０，５０Ａ，５０Ｂ，５０Ｃ…ハンドル  ５１…ステンレス鋼線（ハンドル素材）  ５２…摘み部  ５３，５３Ａ，５３Ｂ，５３Ｃ…回動軸  ５４，５４Ａ…重り部  ５７…軸受孔  ５８…軸受部  ６０…ポンプフィルタ（フィルタボックス）  ６２…蓋板  ６５…ハンドル  ６６…屈曲部  ７０…ハンドル  ７２…摘み部  ７３…回動軸  ７５，７７…重り  ８０…ハンドル  ８２…摘み部  ８３…回動軸  ８５…天板  ８８…軸受孔  ９０…ハンドル  ９２…摘み部  ９３…摺動部  ９５…天板  ９６…挿通孔  ９７…フロート
【図１】
0004046547.tif 000002
【図２】
0004046547.tif 000003
【図３】
0004046547.tif 000004
【図４】
0004046547.tif 000005
【図５】
0004046547.tif 000006
【図６】
0004046547.tif 000007
【図７】
0004046547.tif 000008
【図８】
0004046547.tif 000009
【図９】
0004046547.tif 000010
【図１０】
0004046547.tif 000011
【図１１】
0004046547.tif 000012
【図１２】
0004046547.tif 000013
【図１３】
0004046547.tif 000014
【図１４】
0004046547.tif 000015
【図１５】
0004046547.tif 000016
【図１６】
0004046547.tif 000017
【図１７】
0004046547.tif 000018
【図１８】
0004046547.tif 000019
【図１９】
0004046547.tif 000020
【図２０】
0004046547.tif 000021
【図２１】
0004046547.tif 000022
【図２２】
0004046547.tif 000023